(57)【特許請求の範囲】
【請求項１】
燃焼後の排ガスと熱交換媒体との熱交換により前記排ガスの熱を回収するフィンレスの熱交換器であって、
酸に対する耐食性に優れた金属材料からなる薄板に対してプレス加工を用いて形成され、前記熱交換媒体の流路の厚みが３ｍｍ以下で長手方向の長さが３００ｍｍ以下の扁平な中空管として形成されて３ｍｍ以下の間隔をもって長手方向が主として鉛直方向となるよう並列に配置され、鉛直下方に前記熱交換媒体の流入口が形成されると共に鉛直上方に前記熱交換媒体の流出口が形成された複数の熱交換用チューブと、
前記複数の熱交換用チューブを収納し、鉛直上方に前記排ガスの流入口が形成されると共に鉛直下方に前記排ガスの流出口が形成されてなるシェルと、
を備え、
前記複数の熱交換用チューブの扁平面には、頂部が連続する頂部線および底部が連続する底部線が水平方向に対してＶ字またはＷ字を連ねた形状の複数の波状凹凸が形成されており、
前記複数の波状凹凸のうちの前記熱交換媒体の流入口側となる鉛直下方側に形成された下方側波状凹凸は、前記熱交換媒体の流出口側となる鉛直上方側に形成された上方側波状凹凸に比して、前記頂部線および前記底部線の屈曲部の角度が大きいか、振幅が大きいか、前記頂部線と前記底部線との間隔が短いか、のうちの少なくとも１つが成立するように形成されている、
ことを特徴とする熱交換器。
【請求項２】
請求項１記載の熱交換器であって、
前記複数の波状凹凸は、該波状凹凸の断面の波形が直線と円弧とにより形成されている、
熱交換器。
【請求項３】
請求項１または２記載の熱交換器であって、
前記上方側波状凹凸は、前記頂部線および前記底部線が鉛直方向に対して５度ないし４５度の範囲内の角度となるよう形成されており、
前記下方側波状凹凸は、前記頂部線および前記底部線が鉛直方向に対して３０度ないし６０度の範囲内の角度となるよう形成されている、
熱交換器。
【発明の詳細な説明】
【技術分野】
【０００１】
本発明は、熱交換器に関し、詳しくは、燃焼後の排ガスと熱交換媒体との熱交換により排ガスの熱を回収する熱交換器に関する。
【背景技術】
【０００２】
従来、この種の熱交換器としては、エンジンから排気された排ガスと貯湯タンクから取り出した排熱回収媒体との熱交換により排ガスの潜熱を回収するものが提案されている（例えば、特許文献１参照）。この熱交換器では、貯湯タンクの底部から取り出した低温の排熱回収媒体に対向して排ガスが流れるようにし、熱交換後の排熱回収媒体を貯湯タンクの上部に戻すことにより、排熱回収効率の向上を図っている。
【先行技術文献】
【特許文献】
【０００３】
【特許文献１】特開２０１１−７１９２号公報
【発明の概要】
【発明が解決しようとする課題】
【０００４】
上述した排ガスの熱を回収する熱交換器は、車両等の限られたスペースに設置する必要から、更なる小型化が望まれている。対向流の熱交換器は熱交換効率がよいため、小型化に有利であるが、小型化した場合には、排ガスの流路が短くなるため、排ガスからの熱回収の際に生じる凝縮水の温度が所望の温度まで低下しない場合が生じる。この場合、排ガスからの熱回収効率も低下してしまうため、凝縮水を適正な温度まで低下させて排水することが望まれる。凝縮水の排水性を向上させるために排水用の溝を設けることも考えられるが、この場合、凝縮水を温度が高いまま排水することになってしまう。
【０００５】
本発明の熱交換器は、小型化することを主目的とする。
【課題を解決するための手段】
【０００６】
本発明の熱交換器は、上述の主目的を達成するために以下の手段を採った。
【０００７】
本発明の熱交換器は、
燃焼後の排ガスと熱交換媒体との熱交換により前記排ガスの熱を回収するフィンレスの熱交換器であって、
酸に対する耐食性に優れた金属材料からなる薄板に対してプレス加工を用いて形成され、前記熱交換媒体の流路の厚みが３ｍｍ以下で長手方向の長さが３００ｍｍ以下の扁平な中空管として形成されて３ｍｍ以下の間隔をもって長手方向が主として鉛直方向となるよう並列に配置され、鉛直下方に前記熱交換媒体の流入口が形成されると共に鉛直上方に前記熱交換媒体の流出口が形成された複数の熱交換用チューブと、
前記複数の熱交換用チューブを収納し、鉛直上方に前記排ガスの流入口が形成されると共に鉛直下方に前記排ガスの流出口が形成されてなるシェルと、
を備え、
前記複数の熱交換用チューブの扁平面には、頂部が連続する頂部線および底部が連続する底部線がＶ字またはＷ字を連ねた形状の複数の波状凹凸が形成されており、
前記複数の波状凹凸のうちの前記熱交換媒体の流入口側となる鉛直下方側に形成された下方側波状凹凸は、前記熱交換媒体の流出口側となる鉛直上方側に形成された上方側波状凹凸に比して、前記頂部線および前記底部線の屈曲部の角度が大きいか、振幅が大きいか、前記頂部線と前記底部線との間隔が短いか、のうちの少なくとも１つが成立するように形成されている、
ことを特徴とする。
【０００８】
この本発明の熱交換器では、３ｍｍ以下の間隔をもって長手方向が主として鉛直方向となるよう複数の熱交換用チューブを並列に配置し、これらの配置した複数の熱交換用チューブをシェルに収納する。複数の熱交換用チューブは、酸に対する耐食性に優れた金属材料からなる薄板に対してプレス加工を用いて熱交換媒体の流路の厚みが３ｍｍ以下で長手方向の長さが３００ｍｍ以下の扁平な中空管として形成されている。複数の熱交換用チューブには、鉛直下方に熱交換媒体の流入口を形成し、鉛直上方に熱交換媒体の流出口を形成する。シェルには、鉛直上方に排ガスの流入口を形成し、鉛直下方に排ガスの流出口を形成する。そして、複数の熱交換用チューブの扁平面に、頂部が連続する頂部線および底部が連続する底部線がＶ字またはＷ字を連ねた形状の複数の波状凹凸を形成する。このように波状凹凸を形成することにより、排ガスが流れたときに波状凹凸で排ガスの主要な流れの他に二次流れを生じさせることができるから、熱交換効率の高い小型の熱交換器とすることができる。また、複数の波状凹凸のうちの熱交換媒体の流入口側となる鉛直下方側の下方側波状凹凸を、熱交換媒体の流出口側となる鉛直上方側の上方側波状凹凸に比して、頂部線および底部線の屈曲部の角度が大きいか、振幅が大きいか、頂部線と底部線との間隔が短いか、のうちの少なくとも１つが成立するように形成する。これにより、下方側波状凹凸ではより多くの凝縮水を保持しやすくなり、凝縮水がゆっくり排出され、排出される凝縮水の温度を低下させることができる。これは、上方側波状凹凸に比して下方側波状凹凸の頂部線および底部線の屈曲部の角度を大きくすると下方側波状凹凸で保持できる凝縮水の体積が増えることや、上方側波状凹凸に比して下方側波状凹凸の振幅を大きくすると振幅が大きくなった分下方側波状凹凸で保持できる凝縮水の体積が増えることや、上方側波状凹凸に比して下方側波状凹凸の頂部線と底部線との間隔を短くすると下方側波状凹凸の数が増加して下方側波状凹凸で保持できる凝縮水の体積が増えることに基づく。この結果、熱交換器を小型化することができる。
【０００９】
こうした本発明の熱交換器において、前記複数の波状凹凸は、該波状凹凸の断面の波形が正弦波となるよう形成したときに、前記頂部線と前記底部線との間隔が前記薄板に対してプレス加工により形成可能な最小値となるよう形成されており、前記下方側波状凹凸は、前記上方側波状凹凸に比して、前記頂部線および前記底部線の屈曲部の角度が大きいか、振幅が大きいか、のうちの少なくとも一方が成立するように形成されている、ものとすることもできる。頂部線と底部線との間隔を最小値とすることにより、熱交換に有効な二次流れの発生頻度を多くし、熱交換効率を更に高め、熱交換器を更に小型化することができる。このとき、頂部線と底部線との間隔をこれ以上小さくすることができないから、排出される凝縮水の温度を低下させるために、下方側波状凹凸の頂部線および底部線の屈曲部の角度を上方側波状凹凸に比して大きくしたり、下方側波状凹凸の振幅を上方側波状凹凸に比して小さくしたりする。この場合、前記複数の波状凹凸は、振幅が前記薄板に対してプレス加工により形成可能な最大値となるよう形成されており、前記下方側波状凹凸は、前記上方側波状凹凸に比して、前記頂部線および前記底部線の屈曲部の角度が大きくなるよう形成されているものとすることもできる。波状凹凸の振幅を最大値とすることにより、熱交換に有効な二次流れの流速を大きくして、熱交換効率を更に高め、熱交換器の更なる小型化を図ることができる。このとき、振幅もこれ以上大きくすることができないから、排出される凝縮水の温度を低下させるために、下方側波状凹凸の頂部線および底部線の屈曲部の角度を上方側波状凹凸より大きくする。
【００１０】
また、本発明の熱交換器において、前記上方側波状凹凸は、前記頂部線および前記底部線が鉛直方向に対して５度ないし４５度の範囲内の角度（更に好ましくは３０度前後）となるよう形成されており、前記下流側波状凹凸は、前記頂部線および前記底部線が鉛直方向に対して３０度ないし６０度の範囲内の角度（更に好ましくは５０度前後）となるよう形成されている、ものとすることもできる。このように形成することにより、上方側波状凹凸では、熱交換に有効な二次流れを有効に生じさせることができ、下流側波状凹凸では、凝縮水を保持しやすくして、排出される凝縮水の温度を適正な温度まで低下させることができる。
【図面の簡単な説明】
【００１１】
【図１】本発明の一実施例としての熱交換器２０の構成の概略を示す構成図である。
【図２】実施例の熱交換器２０に用いる複数の熱交換用チューブ３０の外観を側面から示す側面図である。
【図３】熱交換用チューブ３０の鉛直上方側の一部を拡大して示す拡大説明図である。
【図４】熱交換用チューブ３０の鉛直下方側の一部を拡大して示す拡大説明図である。
【図５】図１におけるＡＡ線での断面図である。
【図６】なす角βと排ガスの流速と凝縮水の保持量との関係を示す説明図である。
【図７】変形例の熱交換用チューブ３０Ｂの断面図である。
【図８】変形例の熱交換器１２０の構成の概略を示す構成図である。
【図９】変形例の熱交換用チューブ３０Ｃの断面図である。
【発明を実施するための形態】
【００１２】
次に、本発明を実施するための形態を実施例を用いて説明する。
【実施例】
【００１３】
図１は本発明の一実施例としての熱交換器２０の構成の概略を示す構成図であり、図２は実施例の熱交換器２０に用いる複数の熱交換用チューブ３０の外観を側面から示す側面図であり、図３は熱交換用チューブ３０の中央部より鉛直上方側の一部を拡大して示す拡大説明図であり、図４は熱交換用チューブ３０の鉛直下方側の一部を拡大して示す拡大説明図であり、図５は図１におけるＡＡ線での断面図である。実施例の熱交換器２０は、燃焼後の排ガスと冷却水などの熱交換媒体との熱交換により排ガスの熱を回収するフィンレスの熱交換器として構成されており、図示するように、長手方向が鉛直方向となるように並列に配置した複数の熱交換用チューブ３０と、この複数の熱交換用チューブ３０を収納するシェル４０と、を備える。
【００１４】
各熱交換用チューブ３０は、酸に対する耐食性に優れた金属材料（例えば、ステンレスなど）による厚みが０．３ｍｍの板材を用いて高さ（長さ）が２００ｍｍ，幅が５０ｍｍ，内側の熱交換媒体の流路の厚みが２．４ｍｍ（全体として厚みは板厚を含めて３．０ｍｍ）の全体として略矩形形状の扁平な中空管となるようプレス加工により形成されており、隣接する熱交換用チューブ３０との隙間が１．６ｍｍとなると共に長手方向が鉛直方向となるよう並列に配置されている。各熱交換用チューブ３０の鉛直下方の下端近傍に形成された熱交換媒体の流入口３１は、並列に配置されて接合されることにより各熱交換用チューブ３０の各流入口３１を連通する連絡管３１ａを形成する。また、各熱交換用チューブ３０の鉛直上方の上端近傍に形成された熱交換媒体の流出口３２は、並列に配置されて接合されることにより、各熱交換用チューブ３０の各流出口３２を連通する連絡管３２ａを形成する。したがって、熱交換媒体は、各熱交換用チューブ３０の流入口３１から流入して鉛直上方に流れ、各熱交換用チューブ３０の流出口３２から流出する。
【００１５】
シェル４０は、各熱交換用チューブ３０と同様に、酸に対する耐食性に優れた金属材料（例えば、ステンレスなど）による板材により、連絡管３１ａ，３２ａにより連結された複数の熱交換用チューブ３０を収納する略直方体形状のケースとして形成されている。シェル４０の上方には排ガスの流入口４１が形成されており、シェル４０の下方には排ガスの流出口４２が形成されている。したがって、排ガスは、シェル４０の上方に形成された流入口４１から流入し、複数の熱交換用チューブ３０の間を通り、シェル４０の下方に形成された流出口４２から流出する。
【００１６】
各熱交換用チューブ３０の両扁平面の中心部Ｐｃより熱交換媒体の流出口３２側となる鉛直上方側には、滑らかな曲面により複数の波状凹凸３８ｕが形成されており、中心部Ｐｃより熱交換媒体の流入口３１側となる鉛直下方側には、滑らかな曲面により複数の波状凹凸３８ｄが形成されている。波状凹凸３８ｕ，３８ｄは、図３，４に例示するように、複数の実線で示す波の頂部が連続する頂部線３４ｕ，３４ｄと複数の一点鎖線で示す底部が連続する底部線３６ｕ，３６ｄとがＶ字またはＷ字を連ねた形状となるように形成されている。各熱交換用チューブ３０の両扁平面に波状凹凸３８ｕ，３８ｄを形成するのは、排ガスを流したときに、排ガスの主要な流れの他に熱交換に有効な二次流れを生じさせるためである。なお、波の頂部は、波の凸部と凹部とが正弦波で示されたときの９０度の位置、即ち最大値の位置（凸部の頂）を意味しており、波の底部は、波の凸部と凹部とが正弦波で示されたときの２７０度の位置、即ち最小値の位置（凹部の底）を意味している。
【００１７】
波状凹凸３８ｕは、図３および図５に示すように、波状凹凸３８ｕの断面が正弦波となるように、波状凹凸３８ｕの頂部線３４ｕと底部線３６ｕとの間隔Ｐｕが熱交換用チューブ３０を形成する薄板の伸び率や板厚に対してプレス加工により形成可能な間隔の最小値Ｐｍｉｎとなるように、波状凹凸３８ｕの振幅ａｕが同じくプレス加工により形成可能な最大値ａｍａｘとなるように形成されている。間隔Ｐｕを最小値Ｐｍｉｎとするのは、単位長さにおける波状凹凸３８ｕの形成数を多くして熱交換に有効な二次流れを多くして熱交換効率を高めるためであり、振幅ａｕを最大値ａｍａｘとするのは、熱交換に有効な二次流れの流速を速くして熱交換効率を高めるためである。これにより、小型化を図ることができる。また、波状凹凸３８ｕは、図１，図３に示すように、頂部線３４ｕ（実線）や底部線３６ｕ（一点鎖線）が鉛直方向（排ガスの主流な流れの方向）に対してなす角αが１５度ないし４５度の範囲（実施例では３０度）となるよう、すなわち、Ｖ字またはＷ字の屈曲部が３０度ないし９０度の範囲（実施例では６０度）となるよう形成されている。実施例で頂部線３４ｕや底部線３６ｕが鉛直方向に対してなす角αを３０度としたのは、排ガスの二次流れを生じさせるためには１５度ないし４５度が好ましく、２５度ないし３５度がより理想的であることに基づいている。したがって、実施例では、なす角αを３０度とすることにより、排ガスの流入口側である上方側の波状凹凸３８ｕを極めて熱交換効率の高い部位として、排ガスの熱を効率よく回収することができるようにしている。
【００１８】
波状凹凸３８ｄは、図４および図５に示すように、波状凹凸３８ｕと同様に、波状凹凸３８ｄの断面が正弦波となるように、頂部線３４ｄと底部線３６ｄとの間隔Ｐｄが最小値Ｐｍｉｎとなるように、波状凹凸３８ｄの振幅ａｄが最大値ａｍａｘとなるように形成されている。そして、波状凹凸３８ｄは、頂部線３４ｄ（実線）や底部線３６ｄ（一点鎖線）が鉛直方向に対してなす角βが波状凹凸３８ｕの頂部線３４ｕや底部線３６ｕが鉛直方向に対してなす角αより大きい角度、例えば３０度ないし６０度の範囲（実施例では５０度）となるよう、すなわち、Ｖ字またはＷ字の屈曲部が６０度ないし１２０度の範囲（実施例では１００度）となるよう形成されている。このように、なす角βをなす角αより大きくするのは、排ガスと熱交換媒体との熱交換で生じる凝縮水を波状凹凸３８ｄで保持しやすくして、排出される凝縮水の温度を低下させるためである。凝縮水を波状凹凸３８ｄで保持しやすくするためには、なす角βをなす角αより大きくするか、間隔Ｐｄを間隔Ｐｕより小さくするか、振幅ａｄを振幅ａｕより大きくするか、のうちの少なくとも１つを成立させればよいが、実施例では、間隔Ｐｄをこれ以上小さくすることができないし、振幅ａｄもこれ以上大きくすることができないから、なす角βをなす角αより大きくすることにより凝縮水を波状凹凸３８ｄで保持しやくしたのである。図６になす角βと排ガスの流速と波状凹凸３８ｄに保持される凝縮水の保持量との関係の一例を示す。図示するように、なす角βが大きくなるほど流速は小さくなり凝縮水の保持量は大きくなるから、流速と凝縮水保持量を考慮するとなす角βが３０度から６０度の範囲内とするのが好ましい。このため、実施例では、なす角βとして５０度を用いたのである。
【００１９】
こうして構成された実施例の熱交換器２０では、例えば、熱交換用チューブ３０の各流入口３１から温度２０℃で流速７．０ｍ-5／ｍｉｎの熱交換媒体を流入させ、熱交換用チューブ３０の鉛直上方から温度１８０℃で流速６．０×１０-2ｍ3／ｍｉｎの排ガスを流入させると、熱交換用チューブ３０の流出口３２から温度７５℃の熱交換媒体を流出させ、熱交換用チューブ３０の鉛直下方から温度２０℃の排ガスを流出させ、熱交換用チューブ３０の鉛直下方から温度２４℃の凝縮水を排水することができる。このように、実施例の熱交換器２０では、排ガスを適正な温度にして排出することができると共に凝縮水をより適正な温度にして排水することができる。
【００２０】
以上説明した実施例の熱交換器２０によれば、各熱交換用チューブ３０には、鉛直下方に熱交換媒体の流入口３１を形成し、鉛直上方に熱交換媒体の流出口３２を形成し、シェル４０には、鉛直上方に排ガスの流入口４１を形成し、鉛直下方に排ガスの流出口４２を形成する。そして、各熱交換用チューブ３０の両扁平面に波状凹凸３８ｕ，３８ｄを形成する。これにより、熱交換器２０を小型化することができる。また、波状凹凸３８ｄの頂部線３４ｄや底部線３６ｄが鉛直方向に対してなす角βが波状凹凸３８ｕの頂部線３４ｕや底部線３６ｕが鉛直方向に対してなす角αより大きくなるように形成することにより、波状凹凸３８ｄではより多くの凝縮水を保持しやすくなり、排出される凝縮水の温度を低下させることができる。この結果、熱交換器２０を小型化することができる。
【００２１】
実施例の熱交換器２０では、波状凹凸３８ｄの頂部線３４ｄおよび底部線３６ｄが鉛直方向に対してなす角度βを５０度の角度となるよう形成するものとしたが、なす角βは、波状凹凸３８ｕの頂部線３４ｕおよび底部線３６ｕが鉛直方向に対してなす角αより大きい角度であればよく、例えば、なす角αを４５度とした場合には、なす角βを５５度や６０度などとしてもよい。
【００２２】
実施例の熱交換器２０では、各熱交換用チューブ３０の中心部Ｐｃより鉛直下方側に複数の波状凹凸３８ｄを形成するものとしたが、各熱交換用チューブ３０のどの位置から鉛直下方側に波状凹凸３８ｄを形成するかは熱交換器２０に要求される熱交換性能や凝縮水の排出温度等により適宜変更することができ、例えば、中心部Ｐｃより熱交換媒体の流出口３２に近い位置から鉛直下方側に複数の波状凹凸３８ｄが形成されているものとしてもよく、中心部Ｐｃより流入口３１側により近い位置から鉛直下方側に複数の波状凹凸３８ｄを形成するものとしてもよい。
【００２３】
実施例の熱交換器２０では、波状凹凸３８ｕ，３８ｄの断面の波形を正弦波状に形成するものとしたが、図７の変形例の熱交換用チューブ３０Ｂに例示するように、波状凹凸３８ｕ，３８ｄの断面の波形を直線と円弧とにより形成するものとしてもよい。こうすれば、正弦波状に形成した場合に比して、熱交換効率の向上を図ることができる。
【００２４】
実施例の熱交換器２０では、波状凹凸３８ｕ，３８ｄの頂部線３４ｕ，３４ｄと底部線３６ｕ，３６ｄとの間隔Ｐｕ，Ｐｄを最小値Ｐｍｉｎとし、波状凹凸３８ｕ，３８ｄの断面の波形の振幅ａｕ，ａｄを最大値ａｍａｘとなるよう形成し、波状凹凸３８ｄの頂部線３４ｄや底部線３６ｄが鉛直方向に対してなす角βが波状凹凸３８ｕの頂部線３４ｕや底部線３６ｕが鉛直方向に対してなす角αより大きくなるように形成するものとしたが、凝縮水の保持のためには、なす角βをなす角αより大きくするか、間隔Ｐｄを間隔Ｐｕより小さくするか、振幅ａｄを振幅ａｕより大きくするか、のうちの少なくとも１つが成立すればよい。したがって、熱交換器が若干大きくなることを許容するならば、図８の変形例の熱交換器１２０に例示するように、間隔Ｐｕを最小値Ｐｍｉｎより大きく形成するものとし、間隔Ｐｄを最小値Ｐｍｉｎより小さくならない範囲で間隔Ｐｕより小さくするものとしてもよいし、図９の変形例の熱交換用チューブ３０Ｃの断面図に例示するように、振幅ａｕを最大値ａｍａｘより小さく形成し、振幅ａｄを最大値ａｍａｘより大きくならない範囲で振幅ａｕより大きくしてもよい。
【００２５】
実施例の熱交換器２０では、複数の熱交換用チューブ３０を、ステンレスによる厚みが０．３ｍｍの板材により、高さ（長さ）が２００ｍｍ、幅が５０ｍｍ、内側の熱交換媒体の流路の厚みが２．４ｍｍ（全体としての厚みは板厚を含めて３．０ｍｍ）の全体として略矩形形状の扁平な中空管となるよう形成し、隣接する熱交換用チューブ３０との隙間が１．６ｍｍとなるよう長手方向が鉛直方向となるよう並列に配置したが、ステンレス以外の酸に対する耐食性に優れた金属材料による板材であれば如何なる板材であってもよく、板材の厚みも強度を保持することができれば０．３ｍｍより薄くてもよいし厚くてもよい。また、高さや幅，内側の熱交換媒体の流路の厚みは、２００ｍｍ，５０ｍｍ，２．４ｍｍに限定されるものではなく、内側の熱交換媒体の流路の厚みが３ｍｍ以下であれば如何なる高さや幅，内側の熱交換媒体の流路の厚みとしてもよい。さらに、複数の熱交換用チューブ３０の形状は略矩形形状の扁平な中空管でなくてもよく、例えば、楕円状の扁平な中空管であってもよい。加えて、隣接する熱交換用チューブ３０との隙間は１．６ｍｍに限定されるものではなく、３ｍｍ以下であれば如何なる間隔としても構わない。更に加えて複数の熱交換用チューブ３０は長手方向が正確に鉛直方向となるよう並列に配置する必要はなく、ある程度の角度をもって長手方向が鉛直方向となるよう並列に配置するものとしてもよい。
【００２６】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２７】
本発明は、熱交換器の製造産業などに利用可能である。
【符号の説明】
【００２８】
２０，１２０  熱交換器、３０，３０Ｂ，３０Ｃ  熱交換用チューブ、３１  流入口、３２  流出口、３１ａ，３２ａ  連絡管、３４ｕ，３４ｄ  頂部線、３６ｕ，３６ｄ  底部線、３８ｕ，３８ｄ  波状凹凸、４０ シェル、４１  流入口、４２  流出口。
【図１】
0006459027.tif 000002
【図２】
0006459027.tif 000003
【図３】
0006459027.tif 000004
【図４】
0006459027.tif 000005
【図５】
0006459027.tif 000006
【図６】
0006459027.tif 000007
【図７】
0006459027.tif 000008
【図８】
0006459027.tif 000009
【図９】
0006459027.tif 000010